(57)【要約】      （修正有）【課題】巻き尺等によって解剖学的測定点を決定するための測定器を提供する。【解決手段】解剖学的測定点を決定するための測定器２００であって、測定ヘッド（ｍｅａｓｕｒｉｎｇ  ｈｅａｄ）の第１端部を第１の解剖学的基準部位（ａｎａｔｏｍｉｃａｌ  ｒｅｆｅｒｅｎｃｅ  ｓｉｔｅ）と整列させるアライメント点１０１と、第１スケール１０２とを備えた測定器である。前記第１スケールは、複数の測定基準点（ｒｅｆｅｒｅｎｃｅ  ｍｅａｓｕｒｅｍｅｎｔ  ｐｏｉｎｔ）１０２ａ−１０２ｃの候補の中から前記第１スケール上の第１の測定基準点を決定するためのものであり、前記第１の測定基準点は他の解剖学的基準部位と対応している。更に、前記測定器２００は、前記第１スケール１０２に対応し、前記解剖学的測定点を決定するための少なくとも前記測定基準点と整合した測定点１０３ａ−１０３ｃを含んでいる。【選択図】図２
0003201003.tif 000002
【実用新案登録請求の範囲】
【請求項１】
解剖学的測定点（anatomical measurement point）を決定するための測定器（１００，２００）であって：
−第１の解剖学的基準部位（anatomical reference site）を測定ヘッド（measuring head）の第１端部と整列させるアライメント点（１０１）と、
−第１の基準測定点を決定する第１スケール（１０２）を備え、
前記第１スケール（１０２）は、複数の基準測定点（reference measurement point）（１０２ａ−１０２ｃ）の候補の中から前記第１スケール上で、前記第１の基準測定点を決定し、前記第１の基準測定点が他の解剖学的基準部位と対応しており、更に、
−前記第１スケール（１０２）に対応し、前記解剖学的測定点を決定する少なくとも前記基準測定点と整合する測定点（１０３ａ−１０３ｃ）を含む第２スケール（１０３）を有していることを特徴とする計測器。
【請求項２】
前記第１スケール（１０２）に対応し、その他の解剖学的測定点を決定する少なくとも前記基準測定点と整合する測定点（１０４ａ−１０４ｃ）を有する第３スケールを含むことを特徴とする請求項１に記載の計測器。
【請求項３】
前記第２及び／又は第３スケールは、複数の測定点候補を有し、前記各測定点候補は、前記第１スケール上で前記第１の基準測定点の一つと整合するように構成されていることを特徴とする請求項１に記載の計測器。
【請求項４】
前記第２スケール（１０３）は、前記第1スケール（１０２）の始点（１０２ｉ）に対して前記アライメント点（１０１）から3分の１の距離に始点（１０３ｉ）を有し、更に、前記第３スケール（１０４）は、該第１スケール（１０２）の該始点（１０２ｉ）に対して該アライメント点（１０１）から3分の２の距離に始点（１０４ｉ）を有し、及び／又は、前記第１スケールに対して、前記第２スケールは、３分の１の長さ、及び／又は前記第３スケールは、３分の２の長さを有していることを特徴とする請求項１乃至３のいずれか一項に記載の計測器。
【請求項５】
前記計測器は、その一面に粘着面に巻き尺を有し、又は、リボン状のメジャー（measuring ribbon）、又は、棒状のメジャー（measuring stick）を有することを特徴とする請求項１乃至４のいずれか一項に記載の計測器。
【請求項６】
テープ型（tape-type）の計測器からなるロールを含むことを特徴とする請求項１乃至５のいずれか一項に記載の計測器。
【考案の詳細な説明】
【技術分野】
【０００１】
本考案は、巻き尺（measuring tape）等によって解剖学的測定点（anatomical measuring point）を決定するための測定器に関する。
【背景技術】
【０００２】
正確に測定点を決定することは、様々な医療測定値を確実にかつ同程度に実行するために、極めて重要なことである。骨粗しょう症等を決定するには、様々な患者間で同じ解剖学的部位（anatomical site）から超音波測定等を実行することが必要である。相互に共通する解剖学的測定部位（anatomical measurement site）等を決定するには、しばしば、困難で面倒で不正確なプロセスになるのは、様々な患者間で相互にサイズが違うことによって不正確さがもたらされる。不正確であれば、互いの測定結果を比較することが難しくなる。
【考案の概要】
【考案が解決しようとする課題】
【０００３】
そこで本考案の１つの目的は、従来技術に関する欠点を取り除くか、又は、少なくとも軽減することである。第１の態様では、本考案は、解剖学的測定点を同一の患者だけでなく様々な大きさの患者に対しても、正確に、且つ、迅速に解剖学的に同等の方法で繰り返し決定できることを可能にすることである。
【課題を解決するための手段】
【０００４】
本考案のいくつかの目的は、請求項１に記載の測定器によって達成することができる。
【０００５】
解剖学的測定点を決定するための本考案の測定器は、請求項１に提示する測定器によって特徴付けられる。
【０００６】
本考案の第１の実施形態係る測定器は、最も好ましくは長尺の物品（elongated articles）であり、測定ヘッドの第１端部が、患者の第１の解剖学的基準部位（anatomical reference site）に対して整合させる手段としてアライメント点（alignment point）を含んでいる。第１の解剖学的基準部位は、例えば、脛骨の下肢、又は、尺骨の近位端とすることができる。更に、当該測定器は、第１長尺スケール（elongated scale）を含み、第１長尺スケールは、更に、第２の解剖学的基準部位用の複数の基準測定点（reference measurement point）の候補を備えている。第１端部が患者の第１の解剖学的基準部位と一致するように、患者の皮膚を測定すべき部位に測定器が位置づけられるため、基準測定点の候補の中から選択された点が基準測定点の1つの点になるようにし、更に、この点が、特定の患者のいくつかの他の解剖学的基準部位、例えば、脛骨の上肢又は肘の端部等と一致させる。
【０００７】
更に、測定器は、第１長尺スケールに対応し、複数の測定点の候補を有する第２長尺スケールを含んでおり、少なくとも一つの前記測定点の候補が、前記選択された基準測定点と整合一致するようにできる。本考案の測定器を使用する場合、解剖学的測定点が選択された基準測定点に整合一致する第２のスケールの測定点によって決定することができる。その位置及び／又は長さに関して、第２スケールは、前記第１スケールと一定の関係を有していることが最も好ましく、それによって、患者のサイズが変化するにつれ、第２の測定器によって決定する測定点の部位が、更に、患者の解剖学的サイズ（anatomical size）に比例して尺度調整（scaled）できるように構成されている。
【０００８】
本考案の測定器は、前記スケールを巻き尺等にプリント又は出力したものや、その他の当業者がよく知っている方法と一緒に製造しても良い。その一面に粘着面を有している巻き尺が最も好ましく、更に、使い捨て可能な非常に衛生的であることが好ましい。もしくは、計測器は、リボン状のメジャー（measuring ribbon）や棒状のメジャー（measuring stick）又は、同様なデバイス（メジャー）を有しても良い。
【０００９】
加えて、本考案の一実施形態によれば、前記計測器は、巻き尺、又は、リボン状のメジャーであることが最も好ましく、例えば、ロール状に巻かれた様々なテープ型測定器で構成された様々の測定器を物品に組み込んでも良い。本考案の巻き尺を備えるテープロール（tape roll）は、容易に保管ができる上、汚れ等から保護も可能であり、更に、容易に取り出して使用等できることが特に有益である。
【図面の簡単な説明】
【００１０】
【図１】本考案の一実施形態に係る１つの例示的な測定器を示す図である。
【図２】本考案の一実施形態に係る別の例示的な測定器を示す図である。
【考案を実施するための形態】
【００１１】
本考案の好ましい実施形態は、次のセクションで添付の図面を参照しながらもう少し正確に説明をする。
【００１２】
図１及び図２は、本考案のいくつかの測定器１００，２００の実施形態を例示している。測定器１００，２００は、解剖学的基準部位（anatomical reference site）と測定ヘッド（measuring head）の第１端部を位置調整する（整合一致させる）アライメント点１０１及び第１スケール１０２を備え、第１スケール１０２は、第２の解剖学的基準部位用の複数の基準測定点１０２ａ−１０２ｃの候補を有している。更に、測定器１００，２００は、第１スケール１０２に対応する第２スケール１０３及び複数の測定点１０３ａ−１０３ｃの候補を備え、これらの１つは、常に１つの基準測定点と整合することができる（例えば、基準点１０２ａは、測定点１０３ａ、基準点１０２ｂは、測定点１０３ｂと整合する）。本明細書の他の箇所で説明するように、実際の測定点は、第２の解剖学的部位によって決定された基準測定点を用いて選択される。例えば、もし、第２の解剖学的部位が第１スケールの基準測定点１０２ｂの候補に収まるように整合すると、第２スケールの測定点の候補の中から選択された測定点は、１０３ｂとなり、この測定点で前記測定が行われる。
【００１３】
一実施形態では、測定器２００は、図２に示すように、第１スケールに対応する第３スケール１０４を備え、第３スケールは、いくつかの他の解剖学的測定部位を決定する少なくとも前記基準測定点１０２ａ−１０２ｃと整合する測定点１０４ａ−１０４ｃを備えている。一実施形態に係る測定器２００は、第２スケール１０３及び第３スケール１０４を備え、これらスケールは、複数の測定点の候補を有するようしても良い。各々の測定点の候補を有する前記スケールは、前記第１の基準測定点の候補の一つと第１スケール上で整合できるようになっているので、例えば脛骨の測定においても、単一決定（single determination）で二つの測定点を決定することが可能になっている。従って、例えば、第２の解剖学的部位が第１スケールの基準測定点１０２ｂの候補に収まるように整合する場合は、第２スケールの測定点の候補の中から選択された測定点は、１０３ｂとなり、第３スケールの測定点の候補の中から選択された測定点は、１０４ｂとなり、そしてこれらの測定点で前記測定が行われる。脛骨を測定するようなプロセスでは、測定は二つの部位で行うことができる。一方、いくつかの解剖学的部位の測定では第２スケールではなく、第３スケールが適合する場合があり、例えば、脛骨からの測定点は、第２スケールを用いて決定され、又、第３スケールを用いて前腕から決定することができる。
【００１４】
位置及び／又は長さに関しては、第２及び第３スケールは、第１スケールと一定の関係を持っていることが最も好ましく、この関係によって、患者のサイズが変化すると、測定器の第２スケールによって測定点の部位が決定され、更に第３スケールは、患者の解剖学的サイズに比例して尺度調整できるように構成されている。一実施例によれば、第２スケール（１０３）は、第１スケール（１０２）の始点（１０２ｉ）に対してアライメント点（１０１）から３分の１の距離に始点（１０３ｉ）を有しており、しかも、第３スケール（１０４）は、該第１スケール（１０２）の該始点（１０２ｉ）に対して該アライメント点（１０１）から３分の２の距離に始点（１０４ｉ）を有している。更に、一実施例によれば、該第１スケールに対して、該第２スケールは、３分の１の長さ、及び／又は、該第３スケールは、３分の２の長さを有している。
【００１５】
上述は、単に本考案の解決策のための実施形態である。本考案の原理は、当然ながら、実装例、詳細及び利用分野に関しては、特許請求の範囲に定義された保護範囲内で変えることが可能である。また、特に注視すべきことは、測定器は、上述の第２及び第３スケールより、より多くのスケールを有する測定点の候補を設けることが可能なことである。
【符号の説明】
【００１６】
１００，２００  測定器
１０１          アライメント点
１０２          第１スケール
１０２ａ−１０２ｃ      基準測定点
１０２ｉ        始点
１０３          第２スケール
１０３ａ−１０３ｃ      測定点
１０３ｉ        始点
１０４          第３スケール
１０４ａ−１０４ｃ      測定点
１０４ｉ        始点
【図１】
0003201003.tif 000003
【図２】
0003201003.tif 000004
【手続補正書】
【提出日】平成27年4月2日(2015.4.2)
【手続補正１】
【補正対象書類名】明細書
【補正対象項目名】０００８
【補正方法】変更
【補正の内容】
【０００８】
本考案の測定器は、前記スケールを巻き尺等にプリント又は出力したものや、その他の当業者がよく知っている方法と一緒に製造しても良い。巻き尺の一方の面には、粘着面が設けられているのが最も好ましく、更に、使い捨て可能な非常に衛生的であることが好ましい。もしくは、計測器は、リボン状のメジャー（measuring ribbon）や棒状のメジャー（measuring stick）又は、同様なデバイス（メジャー）を有しても良い。
【手続補正２】
【補正対象書類名】実用新案登録請求の範囲
【補正対象項目名】全文
【補正方法】変更
【補正の内容】
【実用新案登録請求の範囲】
【請求項１】
解剖学的測定点（anatomical measurement point）を決定するための測定器（１００，２００）であって：
−第１の解剖学的基準部位（anatomical reference site）を測定ヘッド（measuring head）の第１端部と整列させるアライメント点（１０１）と、
−第１の基準測定点を決定する第１スケール（１０２）を備え、
前記第１スケール（１０２）は、複数の基準測定点（reference measurement point）（１０２ａ−１０２ｃ）の候補の中から前記第１スケール上で、前記第１の基準測定点を決定し、前記第１の基準測定点が他の解剖学的基準部位と対応しており、更に、
−前記第１スケール（１０２）に対応し、前記解剖学的測定点を決定する少なくとも前記基準測定点と整合する測定点（１０３ａ−１０３ｃ）を含む第２スケール（１０３）を有していることを特徴とする計測器。
【請求項２】
前記第１スケール（１０２）に対応し、その他の解剖学的測定点を決定する少なくとも前記基準測定点と整合する測定点（１０４ａ−１０４ｃ）を有する第３スケールを含むことを特徴とする請求項１に記載の計測器。
【請求項３】
前記第２及び／又は第３スケールは、複数の測定点候補を有し、前記各測定点候補は、前記第１スケール上で前記第１の基準測定点の一つと整合するように構成されていることを特徴とする請求項１又は２に記載の計測器。
【請求項４】
前記第２スケール（１０３）は、前記第1スケール（１０２）の始点（１０２ｉ）に対して前記アライメント点（１０１）から3分の１の距離に始点（１０３ｉ）を有し、更に、前記第３スケール（１０４）は、該第１スケール（１０２）の該始点（１０２ｉ）に対して該アライメント点（１０１）から3分の２の距離に始点（１０４ｉ）を有し、及び／又は、前記第１スケールに対して、前記第２スケールは、３分の１の長さ、及び／又は前記第３スケールは、３分の２の長さを有していることを特徴とする請求項１乃至３のいずれか一項に記載の計測器。
【請求項５】
前記計測器は、巻き尺であり、前記巻き尺の一方の面には、粘着面が設けられており、又は、リボン状のメジャー（measuring ribbon）、又は、棒状のメジャー（measuring stick）を有することを特徴とする請求項１乃至４のいずれか一項に記載の計測器。
【請求項６】
テープ型（tape-type）の計測器からなるロールを含むことを特徴とする請求項１乃至５のいずれか一項に記載の計測器。